(57)【要約】      （修正有）【課題】遊技球が誘導部に誘導された後であってもＶゾーンを通過するまでは継続して遊技球の動きに関心が向けられるような役物を提供する。【解決手段】遊技機の役物２０であって、複数の板状体３１ａ〜３１ｃと、入賞球を抽選ゾーンに導く少なくとも１つの遊技球通路３２ａ〜３２ｄと、前記遊技球通路に対して前記遊技球の通過を妨げる下降位置に選択的に位置決めするように前記板状体を吊り下げつつ上下動させる吊り下げ機構と、を有している。【選択図】図２
2009011700.tif 000002
【特許請求の範囲】
【請求項１】
遊技機の役物であって、
複数の板状体と、
入賞球を抽選ゾーンに導く少なくとも１つの遊技球通路と、
前記遊技球通路に対して前記遊技球の通過を妨げる下降位置に選択的に位置決めするように前記板状体を吊り下げつつ上下動させる吊り下げ機構と、を有することを特徴とする役物。
【請求項２】
前記吊り下げ機構は、
屈曲した長手回転シャフトと、
前記長手回転シャフトの屈曲位置に一端が結合しかつ他端が前記板状体の各々に各々が結合した複数のワイヤと、
前記ワイヤを案内して前記板状体を前記遊技球通路に対して位置決めする案内機構と、
前記長手回転シャフトを回転せしめる駆動部と、からなることを特徴とする請求項１記載の役物。
【請求項３】
前記板状体の少なくとも２つの上流側の側面の形状が互いに異なることを特徴とする請求項１または２記載の役物。
【請求項４】
前記ワイヤの少なくとも２本が前記板状体の１つに対応していることを特徴とする請求項２記載の役物。
【発明の詳細な説明】
【技術分野】
【０００１】
本発明は、遊技機の入賞口への誘導路に設けられた役物に関する。
【背景技術】
【０００２】
いわゆるハネモノと称されるパチンコ機は、遊技盤上の始動入賞口に遊技球が入賞したことを契機として開閉する羽根部をセンター役物に備えており、該羽根部に捕捉されてセンター役物内に流入した遊技球が、特定の位置に設けられている抽選ゾーン（Ｖゾーン）を通過した場合は、遊技者に有利な特別遊技状態を提供するものである。このように、Ｖゾーンを通過するか否かによって以降の遊技状態が大きく異なるので、センター役物内における遊技球の行方には特に高い関心が向けられる。よって演出の効果が得られ易いセンター役物内の誘導部には様々な趣向が凝らされている。（特許文献1）。
【特許文献１】特開２００５−３４３６９号公報
【発明の開示】
【発明が解決しようとする課題】
【０００３】
しかしながら、従来のセンター役物内の誘導部においては、一旦誘導部に遊技球が誘導されると、当該誘導部における遊技球の動きが斬新であったとしても、遊技球の行方がある程度予測できるため、誘導部における遊技球の動きに対して高い関心が向けられることはなかった。よって、遊技者の興味を引き付けるべく特徴的な構造や装飾を誘導部に施しても、遊技者に効果的にアピールするものではなかった。
【０００４】
本発明は、以上の如き事情に鑑みてなされたものであり、遊技球が誘導部に誘導された後であってもＶゾーンを通過するまでは継続して遊技球の動きに関心が向けられるような役物を提供することを目的としている。
【課題を解決するための手段】
【０００５】
本発明の遊技機の役物は、複数の板状体と、入賞球を抽選ゾーンに導く少なくとも１つの遊技球通路と、前記遊技球通路に対して前記遊技球の通過を妨げる下降位置に選択的に位置決めするように前記板状体を吊り下げつつ上下動させる吊り下げ機構と、を有することを特徴としている。
【０００６】
また、前記吊り下げ機構は、屈曲した長手回転シャフトと、前記長手回転シャフトの屈曲位置に一端が結合しかつ他端が前記板状体の各々に各々が結合した複数のワイヤと、前記ワイヤを案内して前記板状体を前記遊技球通路に対して位置決めする案内機構と、前記長手回転シャフトを回転せしめる駆動部と、を有しても良い。
【０００７】
また、前記板状体の少なくとも２つの上流側の側面の形状が互いに異なっていても良い。
【０００８】
また、前記ワイヤの少なくとも２本が前記板状体の１つに対応していても良い。
【発明の実施の形態】
【０００９】
以下、本発明の実施例によるパチンコ機について、添付図面を参考しつつ詳細に説明する。
【００１０】
図1は本発明の実施例である役物を含む遊技装置100の正面図である。遊技装置100は、いわゆるホール等の遊技場所の所定位置に設置される縦長長方形状の本体外枠1からなる。本体外枠1の前面には、ガラス板が装着されたガラス枠2が開閉自在に装着されている。また、本体外枠1の前方下部には、遊技球を貯留する受け皿3、遊技球の打ち出し強さを調整する操作ハンドル4、及び灰皿5等が設けられた下部扉6が開閉自在に装着されている。また、本体外枠1の上部には、効果音等を発するスピーカ7や遊技状態に応じて発光する電飾装置8が設けられている。
【００１１】
ガラス枠2の後方には、遊技盤9が設けられている。遊技盤9上にはガイドレール10が敷設されており、かかるガイドレール10によって遊技領域9ａが囲繞されている。
【００１２】
遊技領域9ａの略中央部には、センター役物20が設けられており、その周りには、一般入賞口（図示せず）や特定入賞口11等の入賞口、及び遊技球の流下方向を変化せしめる図示しない遊技釘や風車が設けられている。遊技領域９ａの最下部には入賞しなかった遊技球を回収するアウト口12が設けられている。
【００１３】
次に、センター役物20の構造について詳細に説明する。図2はセンター役物20を示す正面図である。
【００１４】
センター役物20は、その左右両側上部に羽根部21、22が設けられている。羽根部21、22は、図２の実線で示されるホームポジションである閉位置と点線21'、22'で示される開位置との間で揺動自在となっており、特定入賞口11に遊技球が入賞したとき、当該開位置まで揺動した後、再度閉位置に戻るように構成されている。羽根部21、22が開位置に揺動した時、羽根部21、22によって通常封鎖されている開口部Ａ1、Ａ2が開放されるため、遊技盤面を落下している遊技球のうち、羽根部21、22に捕捉された遊技球はセンター役物20内に流入することになる。
【００１５】
センター役物20内には、開口部Ａ1、Ａ2近傍からＶゾーンに向かう誘導部が設けられている。具体的には、左側の開口部Ａ1から入ってきた遊技球を誘導する誘導路32a、右側の開口部Ａ2から入ってきた遊技球を誘導する誘導路32b、誘導路32a及び誘導路32bを経た遊技球を受け入れて順次後段の誘導路に送り出すクルーン等の誘導部32c、誘導部32cから排出される遊技球を誘導する誘導路32d、及び誘導路32dを経た１つの遊技球をＶゾーン23まで誘導する一本橋状の誘導路32eが設けられている。誘導部32cを除くこれら誘導路は所定の角度で傾斜しており、よって開口部Ａ1、Ａ2から入ってきた遊技球Ｂが滞留することなくＶゾーンに向かって転動し得るようになっている。センター役物20内の最下部には、運悪く誘導部32を外れて落下した遊技球を回収する回収口24が設けられている。
【００１６】
次に、上記した誘導部に沿って設けられている複数の板状体及びそれらを吊り下げつつ上下動させる吊り下げ機構について図３を参照しながら説明する。
【００１７】
図３から明らかなように、Ｖゾーン23手前の誘導路32eに沿って、３つの板状体31a、31b、31cが各々ワイヤ34a、34b、34cによって所定の間隔をあけて一列に吊設されている。ワイヤ34a、34b、34cは、各々先端部が４本に分岐しており、対応する板状体31a、31b、31cの上端部の４隅に結合している。
【００１８】
尚、本実施例においては、例示のため３つの板状体31a、31b、31cが示されているが、板状体は３つ以外の他の個数であっても良いことは言うまでもない。また、図４に示すように、各板状体を２本のワイヤ（例えば、板状体31aの場合はワイヤ34a1及び34a2）で吊り下げ、各ワイヤの先端部を２本に分岐して板状体の上端部の４隅に結合するようにしても良い。これによって、誘導路32d上の遊技球の進行方向に対する板状体のふらつきを抑制することが可能となる。
【００１９】
誘導路32eの上方には誘導路32eと略平行な棒状の案内機構35が設けられている。板状体31a、31b、31cに各々結合されているワイヤ34a、34b、34cは、案内機構35によって方向が変えられて後述する長手回転シャフト33に向けられている。このようにワイヤ34a、34b、34cを案内することによって、板状体31a、31b、31cが誘導路32eの定位置で上下動可能となるように位置決めしている。なお、案内機構35のワイヤ34a、34b、34cを案内する部分に、周方向に溝部を形成しても良い。これによって、ワイヤ34a、34b、34cの案内機構35の軸方向のずれが回避される。更に、当該溝部を覆うようにカバーを設けても良い。これによって、ワイヤ34a、34b、34cが当該溝部から外れることが回避される。また、案内機構35にプーリ等の回転部材を採用しても良い。
【００２０】
案内機構35で方向を変えられたワイヤ34a、34b、34cは、案内機構35から略水平方向に離間した位置に案内機構35に略平行に設けられている長手回転シャフト33まで伸長し、ここで長手回転シャフト33に回転自在に係合している３つの環状部材37a、37b、37cに各々結合している。
【００２１】
長手回転シャフト33は回転自在であり、その一端にはモータ36の回転軸が係合している。また、他端は、図３に示すように自由端であっても良いが、軸受けを介して固定されていても良い。長手回転シャフト33は前述した３つの環状部材37a、37b、37cが係合している位置に、各々屈曲部33a、33b、33cを有している。図３に示す実施例においては、長手回転シャフト33の回転中心軸に関して屈曲部33a及び33cは同位相にあり、屈曲部33bは該中心軸に関して屈曲部33a及び33cとは180°位相がずれている。なお、屈曲部の位相は上記した場合に限定されるものではなく、例えば、３つの位相が互いに120°ずれた場合等のように、屈曲部の位相が全て異なっていても良い。また、図３においては、長手回転シャフト33の回転中心軸と屈曲部において環状部材の係合している位置との間の距離が全て同じ長さであることを想定していたが、かかる場合に限定されるものではなく、これらの距離が互いに異なっていても良い。
【００２２】
以上の構成により、板状体31a、31b、31cは、モータ36によって駆動せしめられる長手回転シャフト33の回転に応じて上下方向に往復動することが可能となる。
【００２３】
ここで板状体31a、31b、31cは、各々が最低位置に位置したときの、その下端と誘導路32eの上面との間隔が遊技球の直径未満となり、且つ、各々が最高位置に位置したときの、その下端と誘導路32eの上面との間隔が遊技球の直径より長くなるように長手回転シャフト33の屈曲部の形状及びワイヤ34a、34b、34cの長さが調節されている。これによって、板状体が最低位置側に位置しているときはVゾーンに向かって誘導路32e上を転動している遊技球の動きが妨げられ、遊技球の速度、板状体の揺動状態、板状体の形状や重さ等の種々の要因如何によって、遊技球は誘導路32eから外れて落下してしまう。一方、板状体が最高位置側に位置しているときは、遊技球は板状体の下をくぐり抜けてVゾーンに向かって誘導路32eを転動し続けることが可能となる。このように、誘導路32e上を転動している遊技球の行方を予測することが困難になるため誘導路に誘導された後であっても遊技球の動きがスリリングになり、よって遊技内容に対する趣向が増大する。
【００２４】
板状体31a、31b、31cの上流側の面Ｓは、図３に示すように誘導路32e上の遊技球の進行方向に対して略垂直となるように形成されても良いし、図５（A）〜（C）に示すように、遊技球の進行方向に対して傾斜していても良い。更に、図５（D）に示すような人物等の特徴的な形状や盤面上の装飾内容に関連させたキャラクタ的な形状にしても良い。また、板状体の上流側の側面Ｓの形状は互いに異なっていても良い。
【００２５】
これによって、板状体の上流側の側面の形状が、例えば図５（B）に示す形状の場合は、板状体が最低位置側に位置して誘導路32e上を転動している遊技球を妨げた場合であっても、遊技球が誘導路32eの上で留まることが可能となる。しかしながら、板状体の上流側の側面の形状が、図５（A）や（C）に示す形状である場合は、板状体が最低位置側に位置して誘導路32e上を転動している遊技球を妨げた場合は、遊技球は誘導路32eから転落する可能性が高くなる。よって、遊技球の動きがより多様且つスリリングとなり、一層趣向が増大する。
【００２６】
なお、板状体31a、31b、31cは、各々が最低位置に位置したとき、その下端と誘導路32eの上面とが離間しているのが好ましい。これによって、図６に示すように、遊技球の速度が速い場合は、板状体が最低位置側に位置して誘導路32eを塞いでいる場合であっても板状体を押しのけてVゾーンに向かうことが可能となる。よって、遊技球の動きがより多様となり、なお一層趣向が増大する。
【００２７】
次に、上記した本発明の実施例によるパチンコ機を制御する制御部について図７を参照しつつ説明する。
【００２８】
図７は本発明の実施例であるパチンコ機100の制御系を示すブロック図である。制御部50は、各種の情報処理を行なうＣＰＵ（中央演算処理部装置）51、遊技制御プログラムや所要のデータ等を格納するＲＯＭ（書換不可記憶部）52、各種乱数や信号等の一時的データを格納するＲＡＭ（書換可能記憶部）53からなり、電源61から電力が供給されている。制御部50には各種入賞口の始動センサに応じて遊技球の払い出しを行なう払出制御装置71、ハンドル4の回動量に応じた強度で遊技球を発射する発射制御装置72、スピーカ7から出す効果音を制御する音声制御装置73、電飾装置8の点灯を制御する電飾制御装置74等が接続されている。制御部50には更に、上記したモータ36の駆動スイッチ75が接続されている。
【００２９】
次に上記したパチンコ機100の動作について説明する。遊技者は操作ハンドル4を操作して、供給皿3から供給される遊技球を遊技領域9aに向けて打ち出す。打ち出された遊技球は、ガイドレール10に沿って案内された後、遊技領域9a内を乱舞しながら落下する。そして遊技領域9aの最下部に到達するまでに入賞口に入らなかった場合は、アウト口12に入って回収される。
【００３０】
一方、入賞口に遊技球が入賞した場合は、所定数の賞球が供給皿3に払い出され、特に特定入賞口11に入賞した場合は、図示しないソレノイド等の駆動装置によって羽根部21、22の開閉動作が行なわれる。本実施例においては、かかる羽根部21、22の開閉動作を契機として上記した板状体31a、31b、31cの上下動が始動するように構成されている。以下、かかる板状体31a、31b、31cの作動手順について、図８の制御アルゴリズムを参照しつつ説明する。
【００３１】
遊技球が特定入賞口11に入賞して、例えば光電スイッチ等のスイッチ（図示せず）によって特定入賞が検知された場合は（ステップＳ１）、制御部50は、羽根部21、22の駆動装置の駆動スイッチにオン・オフ信号を送信すると共に（ステップＳ２）、モータ36の駆動装置75の駆動スイッチにスイッチオン信号を送信する（ステップＳ３）。これによって、長手回転シャフト33が所定の回転速度で回転し、よって板状体31a、31b、31cが上下動する。その後タイマにより所定時間が経過したか否かが判断され（ステップＳ４）、所定時間が経過した場合は、モータ36の駆動装置の駆動スイッチにスイッチオフ信号を送信する（ステップＳ５）。
【００３２】
尚、上記の例においては、特定入賞口11の入賞を契機として板状体31a、31b、31cの上下動を開始させるものであったが、かかる場合に限定されるものではなく、例えば、常時低速で板状体31a、31b、31cを上下動させておいて、特定入賞口11の入賞を契機として高速で上下動させたり、センター役物内の誘導路に沿って設けられている遊技球通過センサの検知信号を契機として板状体31a、31b、31cの上下動を開始させたりしても良い。
【００３３】
また、上記の例においては、モータ36が所定の回転速度で回転するのみであったが、かかる場合に限定されるものではなく、例えば、回転方向の正逆や回転速度の遅速がランダムな時間間隔で繰り返されるようなものであっても良い。
【００３４】
更に、板状体31a、31b、31cの重さを夫々異なるものにして、遊技球と衝突した際の衝撃吸収率を夫々異なるようにしても良い。
【００３５】
更に、上記の例においては、板状体31a、31b、31cが１つの誘導路上に一列に並んだ状態で上下動するものであったが、かかる場合に限定されるものではなく、例えば、図９に示す代替例130のように、図示しない振り分け装置によって振り分けられている３つの誘導路132Ａ、132Ｂ、132Ｃの上に各々案内機構135a、135b、135cを設けて、板状体131a、131b、131cが３つの誘導路132Ａ、132Ｂ、132Ｃにおいて上下動するようにしても良い。
【００３６】
尚、板状体は１つの誘導路に１つだけ設けるようにしても良い。
【００３７】
上記したように、本発明の本実施例においては、入賞球を抽選ゾーンに導く少なくとも１つの遊技球通路に、遊技球の通過を妨げる複数の板状体及び該板状体を位置決めするように前記板状体を吊り下げつつ上下動させる吊り下げ機構が設けられているので、誘導路に遊技球が誘導された後においても、遊技球の行方に予測がつかず、よって遊技者は遊技球がＶゾーンを通過するまでは遊技球の動きに継続して高い関心を向けることになる。よって、遊技機の趣向をより増大させることが可能となる。
【図面の簡単な説明】
【００３８】
【図１】本発明の実施例としての遊技装置の外観正面図である。
【図２】本発明に係るセンター役物の実施例の正面図である。
【図３】本発明に係る役物の実施例の斜視図である。
【図４】本発明の実施例の板状体に結合されるワイヤの代替例を示す斜視図である。
【図５】本発明に係る板状体の代替例の斜視図である。
【図６】本発明の実施例の板状体の動きを示す側面図である。
【図７】本発明の実施例である遊技装置の制御系のブロック図である。
【図８】本発明の実施例としての遊技装置の役物駆動ルーチンを示すフローチャートである。
【図９】本発明に係る役物の代替例の斜視図である。
【符号の説明】
【００３９】
100  パチンコ機（遊技装置）
20  センター役物
30、130  役物
31a、31b、31c  板状体
32a〜32d  誘導部
33  長手回転シャフト
35  案内機構
36  モータ
50  制御部
【図１】
2009011700.tif 000003
【図２】
2009011700.tif 000004
【図３】
2009011700.tif 000005
【図４】
2009011700.tif 000006
【図５】
2009011700.tif 000007
【図６】
2009011700.tif 000008
【図７】
2009011700.tif 000009
【図８】
2009011700.tif 000010
【図９】
2009011700.tif 000011